(57)【特許請求の範囲】
【請求項１】
多数の被計量物を投入できる大きさのホッパ（１）の内側にモータ（２）により連続又は間欠的に回転駆動される回転体（３）が設けられ、同回転体（３）の表面外周寄りに周方向に沿って均等間隔で複数のカップ状の計量部（４）が設けられ、同計量部（４）の底には、底板（５）が開閉可能に設けられ、同計量部（４）の下方には底板（５）を閉じる閉路（６）と、回転体（３）の回転により計量部（４）が所定位置まで回転すると前記底板（５）が開いて内部の被計量物を排出する排出部（７）と、計量部（４）の位置が更に進むと底板（５）を閉じる閉成部（８）とが形成されてなることを特徴とする自動計量機。
【請求項２】
底板（５）に水抜き孔（５ａ）が形成されてなることを特徴とする請求項１記載の自動計量機。
【請求項３】
前記ホッパ（１）及び回転体（３）が傾斜して設けられ、排出部（７）は傾斜するホッパ（１）の上方側に設けられていることを特徴とする請求項１又は請求項２記載の自動計量機。
【請求項４】
前記回転体（３）が計量部（４）の設置間隔で間欠的に回転されることを特徴とする請求項１乃至請求項３の夫々に記載の自動計量機。
【請求項５】
前記排出部（７）の近くに回転体（３）の回転をＯＮさせる始動スイッチ（９）が設けられてなることを特徴とする請求項１乃至請求項４の夫々に記載の自動計量機。
【請求項６】
前記計量部（４）に同計量部（４）の内容量を可変する調整体（１０）が挿入取外し可能であることを特徴とする請求項１乃至請求項５の夫々に記載の自動計量機。
【請求項７】
前記調整体（１０）は計量部（４）内に挿入可能な筒状で且つ、内穴（１１）が偏心して開けられていることを特徴とする請求項６記載の自動計量機。
【発明の詳細な説明】
【０００１】
【産業上の利用分野】
本発明はホッパに投入した貝、鉱石、工業製品等を一定数（一定量）づつ計量して取り出すことができる自動計量機に関するものであり、特に帆立貝の稚貝を養殖用の篭や網に定量づつ入れるのに使用されるものである。
【０００２】
【従来の技術】
帆立貝、真珠用のあこや貝、かき等の貝類は、養殖を開始してから販売できる大きさになるまで２〜３年かかり、その間成長を続けるので貝の成長に合わせて図５に示すような養殖篭Ａを何回か適当なものに取り替えている。この場合、養殖篭Ａは上下に２段以上貝の収容部Ｂが設けられており、各収容部Ｂに一定量（通常１０個前後）の稚貝Ｃを入れている。従来は、このための稚貝Ｃの計量を手作業で行なっていた。
【０００３】
【発明が解決しようとする課題】
しかしながら、手作業による貝（稚貝Ｃ）の計量は大変であり、また計量にばらつきもあることから、計量の自動化が望まれていた。
【０００４】
本発明の目的は貝の計量を自動的に行なうことができる自動計量機に関するものである。
【０００５】
【課題を解決するための手段】
本発明のうち請求項１の自動計量機は図１、２に示すように、多数の被計量物を投入できる大きさのホッパ１の内側にモータ２により連続又は間欠的に回転駆動される回転体３が設けられ、同回転体３の表面外周寄りに周方向に沿って均等間隔で複数のカップ状の計量部４が設けられ、同計量部４の底には、底板５が開閉可能に設けられ、同計量部４の下方には底板５を閉じる閉路６と、回転体３の回転により計量部４が所定位置まで回転すると前記底板５が開いて内部の被計量物を排出する排出部７と、計量部４の位置が更に進むと底板５を閉じる閉成部８とが形成されてなるものである。
【０００６】
本発明のうち請求項２の自動計量機は図１、２に示すように、底板５に水抜き孔５ａが形成されてなるものである。
【０００７】
本発明のうち請求項３の自動計量機は図１、２に示すように、ホッパ１及び回転体３が傾斜して設けられ、排出部７は傾斜するホッパ１の上方側に設けられているものである。
【０００８】
本発明のうち請求項４の自動計量機は図１、２に示すように、回転体３が計量部４の設置間隔で間欠的に回転されるものである。
【０００９】
本発明のうち請求項５の自動計量機は図１、２に示すように、排出部７の近くに回転体３の回転をＯＮさせる始動スイッチ９が設けられてなるものである。
【００１０】
本発明のうち請求項６の自動計量機は図３に示すように、計量部４に同計量部４の内容量を可変する調整体１０が挿入取外し可能であるものである。
【００１１】
本発明のうち請求項７の自動計量機は図３に示すように、調整体１０は計量部４内に挿入可能な筒状で且つ、内穴１１が偏心して開けられているものである。
【００１２】
【発明の実施の形態１】
図１、２は本発明の自動計量機の実施形態例であり、被計量物が貝（帆立ての稚貝）の例である。この自動計量機は、四角い本体ケース１２の上部に水平面より約３０度程傾けて円筒形状のホッパ１を取り付けてあり、このホッパ１の立設している周縁１ａの内側に同様に傾けて円盤状の回転体３を取り付けてある。ホッパ１は直径約６５ｃｍの大きさに作成されており、その内側に略内接するように設けられる回転体３はそれより僅かに小径に作成されている。回転体３の表面外周側には一定量の貝を収容することができるカップ型の計量部４が形成されており、この計量部４が回転体３の周方向に等間隔で８個設けられている。この回転体３は本体ケース１２内に設けられた図２のモータ２により減速ギア１３、１４を介して回転駆動されるようにしてある。
【００１３】
計量部４の底には円板状の底板５が蝶番１６により開閉自在に取付けられており、その底板５には水抜き孔５ａが形成され、その裏面にローラ１５が回転可能に設けられている。このローラ１５の下方には閉路６と、排出部７と、閉成部８とが形成されている。閉路６はローラ１５が接触して底板５を閉じるためのものであり、回転体３の回転に伴って回転する計量部４のローラ１５が接触可能なる様にレール状に形成されている。排出部７は底板５を開いて計量部４内に被計量物を外部に排出させるためのものであり、閉路６の一部を開口して形成されており、閉路６に接触してその上を回転しながら移動してくるローラ１５が外れて下方に落下し、これにより、底板５が開いて計量部４内の被計量物が自動的に落下して外部に排出されるようにしてある。閉成部８は排出部７で下方に開いた底板５を自動的に閉じるためのものであり、前記の排出部７を形成するに当って閉路６の一部を開口した部分を下方に湾曲させて形成されている。これにより、底板５の開いた計量部４が回転体３の回転に伴って排出部７より先まで回転すると、開いている底板５のローラ１５が閉成部８に次第に接触して底板５が自動的に閉じるようにしてある。
【００１４】
前記回転体３の上部には水を放出する放水器２０が設けられており、また回転体３の表面に接するように回転ブラシ２１も設けられている。前記放水器２０による放水は回転体表面の３箇所において行なわれるようにしてあり、回転体３の下方部分への放水は貝を計量部４内に落とし込むためのもの、それより少し上側部分への放水は計量部４内に入らず回転体３の表面に残っている貝を回転体３の下側へと落とすためのもの、排出口部分への放水は計量部４内の貝が速やかに計量部４から排出されるようにするためのものである。また回転ブラシ２１は放水器２０による放水で落としきれなかった回転体３の表面に残る貝を確実に落とすものであり、また計量部４の上に盛り上がって残った余分な貝を落とす役割も有する。この回転ブラシ２１は回転体３の回転軸２２に取り付けられた傘歯車２３、２４を介して回転駆動されるようになっており、傘歯車２３、２４のギア比を適宜設定することにより所定の回転速度が得られるようにしてある。
【００１５】
前記回転体３の裏側の閉路６は、計量部４の底板５が開く部分では同底板５が速やかに開かれるように急激に落ち込んで切れており、底板５が閉じる部分では同底板５が徐々に閉じられるように緩やかな傾斜（スロープ）が付けられている（閉成部８となっている）。この閉路６の途絶えはホッパ１の斜め上方側に設けられており、ホッパ１の下方側で計量部４に入れられた貝がホッパ１の上方側で排出されるようにしてある。ホッパ１の下側には投入された貝がたまっているため、貝の排出はホッパ１の上部側で行なわれるようにしてある。
【００１６】
前記本体ケース１２の排出口１７の裏側には始動スイッチ（リミットスイッチ）９が設けられている。このリミットスイッチ９は、これを手や貝を入れるザル、養殖篭等で上に押し上げるとＯＮになり、ＯＮで図２のモータ２に電気が供給されて回転体３が回転されるようになっている。この場合、前記リミットスイッチ９の１回のＯＮで回転体は８／３６０度だけ回転して停止するようにしてあり、回転体３が回動して停止する度に計量部４内の貝が排出口１７から外に排出されるようにしてある。
【００１７】
前記ホッパ１の下部にはホッパ１内に放水された水を集める水受け２５が設けられており、この水受け２５に集められた水が排水口２６からホース２７を通じて外に排水されるようになっている。
【００１８】
この自動計量機の各計量部４には図３に示す調整体１０を着脱可能に取り付けることができるようになっており、この調整体１０で計量部４に収容される貝の量を調整できるようになっている。この調整体１０は偏心した内穴１１を有する筒型に形成されており、調整体１０の肉薄の部分を回転体３の外側に向けて取り付ける。肉薄の側を外側にすることで、ホッパ１の周縁１ａの内側に溜った貝を取り残すことなく計量部４内に収容することができるようになっている。この調整体１０は各種サイズのものを用意し、例えば表１に示すサイズのものを用意して各種サイズの貝の計量を行なうことができる。
【００１９】
【発明の実施の形態２】
図４は本発明の自動計量機の第２の実施形態である。これは基本的原理においては第２の実施形態と同じであり、異なるのは計量部４内に挿入した調整体１０の内穴１１を偏心させずに中心に形成したことである。この場合、調整体１０の全周の肉厚が均一になるため、ホッパ１の周縁１ａから内穴１１までの距離が長くなり、周縁１ａから内穴１１までの間の貝が計量部４内に入り切れずに取り残され易くなる。この場合、取り残しを少なくするため、図４（ｂ）、（ｃ）に示す様にガイド３０を設けることが考えられる。このガイド３０はホッパ１の周縁１ａから内側にＶ字状に突設し、しかも、その頂上部３１を調整体１０の内穴１１の周縁まで突出させて、回転体３の回転により搬送される回転体３上の貝がそのガイド３０に沿って内側に寄せられて、調整体１０の内穴１１に落下するようにするようにしてある。これによりホッパ１の周縁１ａの内側の貝が取り残されずに計量カップ４内に入るようにしてある。尚、図４（ｂ）（ｃ）の相違はガイド３０の傾斜角度の差異である。
【００２０】
本発明の自動計量機では、ホッパ１内に投入された貝は回転体３の下側部分にたまり、そこで回転体３の回転に伴って間欠回転してくる計量部４内に自動的に落下する。この場合、間欠回転する回転体３の１回の回転量は、計量部４の間隔と同じにすると、１回の回転毎に計量部４に貝が自動的に落下する。計量部４には貝と共に回転体３の上部の放水器２０から放出される水も流れ込み、その水が計量部４の底板５の水抜き孔５ａから抜けるため、貝は計量部４の底板５の方まで入り易くなる。また、この自動計量機ではリミットスイッチ９を押す度に回転体３が計量部４の一個分づつ間欠回転し、この回転毎に、計量部４内に落下収容された貝が上方に移送され、回転体３の最上部を少し過ぎたところで計量部４の底板５が排出部７に差し掛かり、ローラ１５が閉路６から外れて底板５が自動的に開かれ、毎回一定量の貝が排出部７の排出口１７から外部の篭、網等に排出される。即ち、貝が自動的に計量部４で計量されて排出される。
【００２１】
以上説明した本発明の自動計量機は被計量物が貝の場合の例であるが、被計量物としては、例えば鉱石、工業製品、果菜、魚といったあらゆるものの計量に利用することができる。
【００２２】
【発明の効果】
本発明のうち請求項１の自動計量機では、ホッパに投入された被計量物が自動的に計量されて排出されるため、次のような効果がある。
１．被計量物を大量に計量することができる。
２．機械計量であるため計量にばらつきが少ない。
３．人手間がかからない。
【００２３】
本発明のうち請求項２の自動計量機では、底板５に水抜き孔５ａが形成されているため、被計量物が計量部４の底の方まで落下収容し易くなり、計量精度が向上する。ちなみに、被計量物が計量部４の底の方まで確実に落下せずに計量部４の途中に引っ掛かったりすると、計量部４が上げ底になったのと同じ状態になるため、計量部４内に落下収容される被計量物の量が少なくなり、計量精度がばらつく。
【００２４】
本発明のうち請求項３の自動計量機では、ホッパ及び回転体が傾斜して設けられているため、次のような効果がある。
１．計量部内に入らなかった余分な被計量物が傾斜する回転体表面を滑落されるため、正確な計量を行なえる。
２．被計量物がたまる部分と被計量物が排出される部分とが上下に２分されるため、正確な計量を行なえる。
【００２５】
本発明のうち請求項４の自動計量機では、回転体が計量部の設置間隔で間欠的に回転されるため、回転体の回転スピードと停止時間とを適宜設定して作業しやすい速度で被計量物を取り出すことができる。
【００２６】
本発明のうち請求項５の自動計量機では、排出部の近くに回転体の回転をＯＮさせる始動スイッチが設けられてなるため、被計量物の取り出しをしながら回転体を回転させることができる。
【００２７】
本発明のうち請求項６の自動計量機では、計量部に同計量部の内容量を可変する調整体が挿入取外し可能となっているため、所望の大きさの調整体を取り付けることにより、被計量物の大きさ、その他の条件に合わせて適切な計量を行なうことができる。
【００２８】
本発明のうち請求項７の自動計量機では、調整体は計量部内に挿入可能な筒状で且つ、内穴が偏心して開けられているため、ホッパの外周側にたまった被計量物を確実に計量部内に落として収容することができる。
【図面の簡単な説明】
【図１】本発明の自動計量機の第１の実施の形態を示す斜視図。
【図２】前記自動計量機の縦断面図。
【図３】（ａ）は調整体の取り付け例を示す平面図、（ｂ）は調整体の斜視図。
【図４】（ａ）は本発明の自動計量機の第２の実施の形態を示す概略平面図、（ｂ）は（ａ）のホッパにガイドを設けた状態の一例を示す部分平面図、（ｃ）はホッパにガイドを設けた状態の他の例を示す部分平面図。
【図５】貝養殖用篭の一例を示す斜視図。
【符号の説明】
１  ホッパ
２  モータ
３  回転体
４  計量部
５  底板
６  閉路
７  排出部
８  閉成部
９  スイッチ
１０  調整体
１１  内穴
【表１】0003636520.tif 000002
【図１】
0003636520.tif 000003
【図２】
0003636520.tif 000004
【図３】
0003636520.tif 000005
【図４】
0003636520.tif 000006
【図５】
0003636520.tif 000007